(57)【要約】【課題】  アキュムレータと圧縮機本体の隙間に防振弾性材を容易に押し込み挟着させることができる構造にして組立時における作業性の向上が図れるロータリ圧縮機を提供する。【解決手段】  ロータリ圧縮機１０において、圧縮機本体１１の側壁面に固定され、アキュムレータ１２が取り付けられる方向外側に向かって拡開形成された左右１対のアーム片部１６ｂと各アーム片部１６ｂに形成されたスリットを有する取付ブラケット１６と、一端部側を一方の記アーム片部１６ｂの先端部に取り付け、他端部をアキュムレータ１２の側壁部外側を回って他方のアーム片部の先端部に取り付けてアキュムレータ１２を取付ブラケット１６と共に保持する締結バンド１７と、アーム片部１６ｂのスリットに嵌合可能な突起部２０ａを有し、かつ、取付ブラケット１６とアキュムレータ１２の間に挟着されるブロック状をした左右１対の防振弾性体２０を備えている。  【選択図】  図１
2011185198.tif 000002
【特許請求の範囲】
【請求項１】
電動機部及び該電動機部と連結される圧縮機構部を収容してなる圧縮機本体と、前記圧縮機構部の吸込口に吸込管を介して連通し、前記圧縮機本体の外側に並列配置してなる筒状のアキュムレータとを備えるロータリ圧縮機において、
前記圧縮機本体の側壁面に固定され、前記アキュムレータが取り付けられる方向外側に向かって拡開形成された左右１対のアーム片部と該各アーム片部に該各アーム片部の上下いずれか一方の端面から他方の端面に向かって切り欠かれたスリットを有する取付ブラケットと、
一端部側を前記一方の記アーム片部の先端部に取り付け、他端部を前記アキュムレータの側壁部外側を回って前記他方のアーム片部の先端部に取り付けて前記アキュムレータを前記ブラケットと共に保持する締結バンドと、
前記アーム片部のスリットに嵌合される突起部を有し、前記取付ブラケットと前記アキュムレータの間に挟着されるブロック状をした少なくとも左右１対の防振弾性体と、
を備えていることを特徴とするロータリ圧縮機。
【請求項２】
前記左右１対の防振弾性体は、前記取付ブラケットと対向する前記アキュムレータの側壁部に沿って当接配置されるシート状の連結バンド部により連結一体化されていることを特徴とする請求項１に記載のロータリ圧縮機。
【請求項３】
前記左右１対の防振弾性体は、前記アキュムレータの側壁部外側を回って前記アキュムレータと前記締結バンドとの間に挟着されるシート状の連結バンド部により連結一体化されていることを特徴とする請求項１に記載のロータリ圧縮機。
【請求項４】
前記締結バンドは貫通された係合孔を有し、該締結バンド側に該係合孔に嵌合可能な突起部を有するブロック状をした締結バンド側防振弾性体を前記係合孔に前記突起部を嵌合させて取り付け、該締結バンド側防振弾性体を前記締結バンドと前記アキュムレータ間に挟着することを特徴とする請求項１から請求項３のいずれかに記載のロータリ圧縮機。
【請求項５】
前記締結バンドと前記アキュムレータが接触する範囲に亘って、前記アキュムレータと前記締結バンドの間にシート状の締結バンド側防振弾性体を挟着配置したことを特徴とする請求項１から請求項３のいずれかに記載のロータリ圧縮機。
【発明の詳細な説明】
【技術分野】
【０００１】
本発明はロータリ圧縮機に関する。
【背景技術】
【０００２】
従来、冷凍サイクル装置に用いられるロータリ圧縮機には、圧縮機本体と並置してアキュムレータが取り付けられている(例えば、特許文献１、特許文献２参照)。
【０００３】
特許文献１及び特許文献２に示すロータリ圧縮機は、電動機部及び該電動機部と連結される圧縮機構部を収容してなる圧縮機本体と、前記圧縮機構部の吸込口に吸込管を介して連通し、前記圧縮機本体の外側に並列配置してなる筒状のアキュムレータと、該アキュムレータを前記圧縮機本体に固定する締結バンドとを備えている。
【０００４】
特許文献１では、アキュムレータの外周面にシート状のゴムシートを巻き付け、圧縮機本体に固定している締結バンドとアキュムレータとでゴムシートを挟着してアキュムレータの振動が圧縮機本体へ直接伝わることによる圧縮機の振動を減衰させている。また、特許文献２では、ゴムシートによってアキュムレータの振動が圧縮機本体へ直接伝わることによる圧縮機本体の振動を減衰させていることに加え、アキュムレータの下方を大きな防振部材で支えて振動を減衰させている。
【先行技術文献】
【特許文献】
【０００５】
【特許文献１】特開２００３−２４７４９０号公報
【特許文献２】特開２００７−  ４６５７２号公報
【発明の開示】
【発明が解決しようとする課題】
【０００６】
しかしながら、シート状のゴムシートをアキュムレータの外周面に巻く場合では、アキュムレータと取り付けブラケットの隙間に、ゴムシートを押し込んで挿入する必要がある。ところが、ゴムシートは、摩擦が大きい上に変形し易いため、隙間に押し込む作業が難しく、作業性が悪いという問題点があった。また、特許文献２に記載の防振構造では、構造上防振部材が大きくなり、圧縮機自体が小型にできないという問題があった。
【０００７】
そこで、本発明は、上記の問題点に鑑みなされたものであって、小型でかつ、アキュムレータと圧縮機本体の隙間に防振弾性材を容易に押し込み挟着させることができる構造にして組立時における作業性の向上が図れるロータリ圧縮機を提供することを目的とする。
【課題を解決するための手段】
【０００８】
上記課題を解決するために、本発明に係るロータリ圧縮機は、電動機部及び該電動機部と連結される圧縮機構部を収容してなる圧縮機本体と、前記圧縮機構部の吸込口に吸込管を介して連通し、前記圧縮機本体の外側に並列配置してなる筒状のアキュムレータとを備えるロータリ圧縮機において、前記圧縮機本体の側壁面に固定され、前記アキュムレータが取り付けられる方向外側に向かって拡開形成された左右１対のアーム片部と該各アーム片部に該各アーム片部の上下いずれか一方の端面から他方の端面に向かって切り欠かれたスリットを有する取付ブラケットと、一端部側を前記一方の記アーム片部の先端部に取り付け、他端部を前記アキュムレータの側壁部外側を回って前記他方のアーム片部の先端部に取り付けて前記アキュムレータを前記ブラケットと共に保持する締結バンドと、前記アーム片部のスリットに嵌合される突起部を有し、前記取付ブラケットと前記アキュムレータの間に挟着されるブロック状をした少なくとも左右１対の防振弾性体と、を備えてなる。
【０００９】
この構成によれば、取付ブラケットのアーム片部のスリットに防振弾性体の突起部を嵌合させるようにして防振弾性体を押し込むと、該防振弾性体を取付ブラケットとアキュムレータの間に挟着できる。この場合、防振弾性体はブロック状で変形しにくいので、取付ブラケットとアキュムレータの間に容易に押し込むことができる。また、予め取付ブラケット側に設けられているスリットに防振弾性体の突起部を嵌合させるので、作業時におけるアーム片部に対する防振弾性体の位置決めも容易となる。また圧縮機自体を小型にできる。
【００１０】
上記構成において、前記左右１対の防振弾性体は、前記取付ブラケットと対向する前記アキュムレータの側壁部に沿って当接配置されるシート状の連結バンド部により連結一体化されている、構成を採用できる。
【００１１】
この構成によれば、左右１対の防振弾性体は、シート状の連結バンド部により連結一体化されて、左右１対の防振弾性体と連結バンド部が１個の部品となるので、取り扱いが容易になり、作業性の向上が期待できる。また、アキュムレータの側壁部に当接配置されたシート状の連結バンド部が制振にも寄与する。
【００１２】
上記構成において、前前記左右１対の防振弾性体は、前記アキュムレータの側壁部外側を回って前記アキュムレータと前記締結バンドとの間に挟着されるシート状の連結バンド部により連結一体化されている、構成を採用できる。
【００１３】
この構成によれば、防振弾性体の取り付けと同時に、シート状の連結バンド部をアキュムレータと締結バンドの間に防振弾性材として設置することができる。また、アキュムレータと締結バンドの間に挟着されたシート状の連結バンド部が制振にも寄与する。
【００１４】
上記構成において、前記締結バンドは貫通された係合孔を有し、該締結バンド側に該係合孔に嵌合可能な突起部を有するブロック状をした締結バンド側防振弾性体を前記係合孔に前記突起部を嵌合させて取り付け、該締結バンド側防振弾性体を前記締結バンドと前記アキュムレータ間に挟着する、構成を採用できる。
【００１５】
この構成によれば、アキュムレータと締結バンドの間にも防振弾性体を設置する場合に、締結バンド側防振弾性体の突起部を締結バンドの係合孔に嵌合させて締結バンド側防振弾性体を締結バンドに取り付けた後、締結バンドを取付ブラケットに取り付けると、締結バンド側防振弾性体の位置決めが容易となり、作業性の向上が期待できる。
【００１６】
上記構成において、前記締結バンドと前記アキュムレータが接触する範囲に亘って、前記アキュムレータと前記締結バンドの間にシート状の締結バンド側防振弾性体を挟着配置した、構成を採用できる。
【００１７】
この構成によれば、アキュムレータと締結バンドの間にも防振弾性体を設置する場合に、締結バンドとアキュムレータが接触する範囲に亘ってシート状の締結バンド側防振弾性体を設置できる。これにより安価なシート状の防振弾性体を使用しても、アキュムレータと取付ブラケットの隙間に防振弾性材を押し込む必要がなく、作業性の向上が期待できる。
【発明の効果】
【００１８】
本発明によれば、ブロック状で変形しにくい防振弾性体の突起部を取付ブラケットのスリットに嵌合させるようにして、防振弾性体を押し込むと、該防振弾性体を取付ブラケットとアキュムレータの間に挟着することができるので、防振弾性体を取付ブラケットとアキュムレータの間に容易に押し込んで取り付けることができる。また、予め取付ブラケット側に設けられているスリットに防振弾性体の突起部を嵌合させるので、作業時における防振弾性体のアーム片部に対する位置決めが容易になり、作業性の向上が期待できる。このようにして、防振弾性体を取付ブラケットとアキュムレータの間に挟着することにより、圧縮機本体とアキュムレータの間で発生する振動騒音を低減して、静かな運転を可能とするロータリ圧縮機が得られる。また圧縮機自体を小型にできる。
【図面の簡単な説明】
【００１９】
【図１】本発明の第１実施形態に係るロータリ圧縮機を示し、圧縮機本体にアキュムレータを連結した状態で示す平面図である。
【図２】圧縮機本体にアキュムレータを連結した状態で示すロータリ圧縮機の正面図である。
【図３】防振弾性体を取付ブラケットに取り付ける構造を説明する拡大斜視図である。
【図４】本発明の第２実施形態に係るロータリ圧縮機を示し、圧縮機本体にアキュムレータを連結した状態で示す平面図である。
【図５】本発明の第３実施形態に係るロータリ圧縮機を示し、圧縮機本体にアキュムレータを連結した状態で示す平面図である。
【図６】本発明の第４実施形態に係るロータリ圧縮機を示し、圧縮機本体にアキュムレータを連結した状態で示す平面図である。
【図７】締結バンド側防振弾性体を締結バンドに取り付ける構造を説明する拡大斜視図である。
【図８】本発明の第５実施形態に係るロータリ圧縮機を示し、圧縮機本体にアキュムレータを連結した状態で示す平面図である。
【発明を実施するための最良の形態】
【００２０】
以下、本発明に係る好適な実施の形態について、図面を参照しながら詳細に説明する。なお、各実施の形態の説明の全体を通じて同じ要素には同じ符号を付して説明する。
【００２１】
図１乃至図３は本発明に係るロータリ圧縮機の第１の実施形態を示し、図１はそのロータリ圧縮機の平面図、図２はそのロータリ圧縮機の正面図、図３はそのロータリ圧縮機の要部分解拡大斜視図である。
【００２２】
図１乃至図３において、ロータリ圧縮機１０は、密閉型の圧縮機本体１１と、圧縮機本体１１の外側に並列配置してなる筒状のアキュムレータ１２と、アキュムレータ１２を圧縮機本体１１に固定する固定手段１３を備える。
【００２３】
圧縮機本体１１の内部には、図示しないが、シリンダ内でロータリピストンを回転または揺動させて冷媒ガスを圧縮するロータリ式の圧縮機構部と、この圧縮機構部のロータリピストンに駆動連結されたロータ、及び圧縮機本体内壁面に固定され、上記ロータを回転させる環状のステータを有する電動機部とが少なくとも収容されている。また、圧縮機本体１１の外側には２本の吸込管１４が設けられ、この吸込管１４の一端は圧縮機本体１１内の圧縮機構部の吸込口に連通し、他端は底部１２ａにおいてアキュムレータ１２に接続されている。
【００２４】
アキュムレータ１２は、圧縮機本体１１の外側に、圧縮機本体１１と平行になるように並置され、圧縮機本体１１に固定手段１３で固定されている。なお、アキュムレータ１２の上壁部１２ｂには、冷媒回路(図示せず)を循環する冷媒をアキュムレータ１２内に導くための戻し管１５が接続されている。
【００２５】
固定手段１３は、圧縮機本体部１１の上部にアキュムレータ１２の上下方向中間部分を保持するためのものであり、取付ブラケット１６と締結バンド１７等により構成されている。
【００２６】
取付ブラケット１６は、細長い板状の金属材を成形してなり、圧縮機本体部１１の外周面に溶接されて、該圧縮機本体部１１に水平な状態で取り付けられている中間固定片部１６ａと、上方から見て中間固定片部１６ａの両端部よりそれぞれアキュムレータ１２を抱持する方向に向かって互いにハの字状に拡開形成されている左右１対のアーム片部１６ｂ,１６ｂを一体に有している。また、左右１対のアーム片部１６ｂ,１６ｂの先端部１１６ｂ,１１６ｂはそれぞれ外側に向かってさらに略直角に折り曲げられ、一方の先端部１１６ｂには係合孔１８(図３参照)が、他方の先端部１１６ｂにはねじ取付孔(図示せず)がそれぞれ形成されている。
【００２７】
さらに、各アーム片部１６ｂには、図３に示すように、上端面から下端面に向かって細い切り欠きを入れてなるスリット１９が形成されており、そのスリット１９を設けた部分に、それぞれ防振弾性体２０を取り付け可能になっている。なお、スリット１９は、反対に下端面から上端面に向かって細い切り欠きを入れて形成されていてもよい。
【００２８】
また、防振弾性体２０は、同じく図３に示すように、例えば弾性を有する防振ゴムあるいは弾性を有する防振プラスチック材で長四角形をした小片としてブロック状に形成されており、背面側にはスリット１９に嵌合可能な突起部２０ａが一体に形成されている。そして、防振弾性体２０は、取付ブラケット１６の内側から突起部２０ａをスリット１９内にスライドさせて嵌合させると、各アーム片部１６ｂ,１６ｂの内面にそれぞれ位置決めした状態で取り付けることができる。なお、本例において、防振弾性体２０の高さ方向の幅は、取付ブラケット１６の高さ方向の幅とほぼ同じ大きさに設定してある。
【００２９】
締結バンド１７は、細長い板状の金属材をアキュムレータ１２の外周曲面に倣って湾曲状に成形してなり、その一端部１７ａは上記取付ブラケット１６の一方の先端部１１６ｂの係合孔１８に係合され、他端部１７ｂは取付ブラケット１６の他方の先端部１１６ｂにボルト２１により取り付けられるようになっている。すなわち、締結バンド１７は、アキュムレータ１２の外側を回って一端部１７ａを一方の先端部１１６ｂの係合孔１８に係合させるとともに、他端部１７ｂを他方の先端部１１６ｂにボルト２１で固定して取付ブラケット１６に取り付けられることにより、締結バンド１７と取付ブラケット１６間にアキュムレータ１２を抱持した状態にして、アキュムレータ１２を圧縮機本体１１に連結保持している。つまり、アキュムレータ１２は、この取付ブラケット１６と締結バンド１７を設けた固定手段１３と上記吸込管１４とにより、上下の位置で圧縮機本体１１に一体的に支持されている。
【００３０】
さらに、本発明の特徴として、吸込管１４によりアキュムレータ１２を圧縮機本体１１に支持した後、取付ブラケット１６の左右のアーム片部１６ｂ,１６ｂとアキュムレータ１２の間にそれぞれ防振弾性体２０を挟着状態にして容易に取り付けることができるようになっている。すなわち、吸込管１４によりアキュムレータ１２が圧縮機本体１１に支持されている状態で、左右のアーム片部１６ｂ,１６ｂとアキュムレータ１２の間にそれぞれ防振弾性体２０を挟着させる場合は、取付ブラケット１６の上方で、突起部２０ａをスリット１９に一致させて防振弾性体２０を締結バンド１７の内側に配置し、さらに防振弾性材２０を下側に向けて押し込む。
【００３１】
この押し込みにより、突起部２０ａがスリット１９内に嵌合しながら、防振弾性体２０がアーム片部１６ｂとアキュムレータ１２の間に圧入されて挟持される。この作業を左右のアーム片部１６ｂ,１６ｂについて行う。この取付作業では、防振弾性体２０がブロック状で変形しにくくなっているので、防振弾性体２０は取付ブラケット１６とアキュムレータ１２の間に容易に押し込むことができる。また、アーム片部１６ｂに設けたスリット１９に防振弾性体２０の突起部２０ａを挿入嵌合させるので、作業時における位置決めも簡単になる。防振弾性体２０の取付後、取付ブラケット１６と締結バンド１７とによりアキュムレータ１２を圧縮機本体１１に支持する。
【００３２】
このようにして、取付ブラケット２０とアキュムレータ１２の間に防振弾性体２０が挟着されて取り付けられたロータリ圧縮機１０では、冷媒の圧縮過程において、圧縮機本体１１の電動機部及び圧縮機構部から発生する振動成分がアキュムレータ１２に伝播されるが、この振動成分はアキュムレータ１２と取付ブラケット１６との間に挟着されている防振弾性体２０で制振されて、アキュムレータ１２の振動が減衰され、ロータリ圧縮機１０の圧縮機本体１１とアキュムレータ１２の間で発生する振動騒音が防止される。また、防振弾性体２０がアキュムレータ１２と取付ブラケット１６間に挟着されているので、ロータリ圧縮機１０の運転中あるいは輸送中に、防振弾性体２０が脱落することもない。
【００３３】
次に、本発明の第２実施形態におけるロータリ圧縮機について図４を参照して説明する。第２実施形態におけるロータリ圧縮機１０は、取付ブラケット１６の左右のアーム片部１６ｂ,１６ｂにそれぞれ取り付けられる左右１対の防振弾性体２０,２０を、取付ブラケット１６と対向しているアキュムレータ１２の外周壁面（側壁部）に圧着して配設されるシート状の連結バンド部２２により連結し、左右１対の防振弾性体２０,２０と連結バンド部２２を一体化したものであり、他の構成は図１乃至図３に示した構成と同一であるから、同一の構成部分は同一符号を付して重複説明を省略する。
【００３４】
この第２実施形態では、取付ブラケット１６と締結バンド１７でアキュムレータ１２を圧縮機本体１１に支持した後、取付ブラケット１６の左右のアーム片部１６ｂ,１６ｂとアキュムレータ１２の間に防振弾性体２０を各々挟着させて取り付けるようになっている。この場合、左右１対の防振弾性体２０,２０はシート状の連結バンド部２２で連結一体化されて1個の部品になるので取り扱いが容易となり、作業性の向上が期待できる。また、連結バンド部２２はアキュムレータ１２の外周壁面（側壁部）に沿って当接された状態で配設されるので、この連結バンド部２２もアキュムレータ１２の制振に寄与する。
【００３５】
次に、本発明の第３実施形態におけるロータリ圧縮機について図５を参照して説明する。第３実施形態におけるロータリ圧縮機１０は、取付ブラケット１６の左右のアーム片部１６ｂ,１６ｂにそれぞれ取り付けられる左右１対の防振弾性体２０,２０を、締結バンド１７と対向しているアキュムレータ１２の外周壁面（側壁部）に圧着配設されるシート状の連結バンド部２３により連結し、左右１対の防振弾性体２０,２０と連結バンド部２３を一体化したものであり、他の構成は図１乃至図３に示した構成と同一であるから、同一の構成部分は同一符号を付して重複説明を省略する。
【００３６】
この第３実施形態では、取付ブラケット１６の左右のアーム片部１６ｂ,１６ｂとアキュムレータ１２の間に防振弾性体２０を各々挟着させて取り付けるようになっている。この場合、左右１対の防振弾性体２０,２０はシート状の連結バンド部２３で連結一体化されて1個の部品になるので取り扱いが容易となり、作業性の向上が期待できる。また、連結バンド部２３はアキュムレータ１２の外周壁面（側壁部）と締結バンド１７の間に挟着された状態で配設されるので、この連結バンド部２３もアキュムレータ１２の制振に寄与する。
【００３７】
次に、本発明の第４実施形態におけるロータリ圧縮機について図６及び図７を参照して説明する。第４実施形態におけるロータリ圧縮機１０は、締結バンド１７の内面側に、締結バンド１７とアキュムレータ１２の間に挟着して設けられるブロック状の締結バンド側防振弾性体２４を複数個(本例では３個)設けたものであり、他の構成は図１乃至図３に示した構成と同一であるから、同一の構成部分は同一符号を付して重複説明を省略する。
【００３８】
この第４実施形態では、締結バンド側防振弾性体２４が取り付けられる締結バンド１７に、締結バンド側防振弾性体２４を取り付ける箇所にそれぞれ対応させて、図７に示すように係合孔２５を設けられている。
【００３９】
一方、締結バンド１７に取り付けられる締結バンド側防振弾性体２４は、例えば弾性を有する防振ゴムあるいは弾性を有する防振プラスチック材で円板形をした小片としてブロック状に形成されており、背面側には係合孔２５に挿入嵌合可能な突起部２４ａが一体に形成されている。そして、締結バンド側防振弾性体２４は、締結バンド１７の内側より突起部２４ａを係合孔２５に嵌合させると、締結バンド１７の内面に位置決めした状態で取り付けることができる。なお、この締結バンド側防振弾性体２４の締結バンド１７への取り付けは、取付ブラケット１６と締結バンド１７でアキュムレータ１２を圧縮機本体１１に支持する前の作業で行う。
【００４０】
この第４実施形態では、取付ブラケット１６と締結バンド１７とによりアキュムレータ１２を圧縮機本体１１に支持した状態では、取付ブラケット１６とアキュムレータ１２の間に挟着配置された左右１対の防振弾性体２０,２０と、締結バンド１７とアキュムレータ１２の間に挟着されている締結バンド側防振弾性体２４でアキュムレータ１２の制振を効果的に行うことができる。
【００４１】
次に、本発明の第５実施形態におけるロータリ圧縮機について図８を参照して説明する。第５実施形態におけるロータリ圧縮機１０は、締結バンド１７とアキュムレータ１２の外周壁面（側壁部）の間に、締結バンド１７とアキュムレータ１２が接触する範囲に亘って、シート状の締結バンド側防振弾性体２６を挟着させて設けたものであり、他の構成は図１乃至図３に示した構成と同一であるから、同一の構成部分は同一符号を付して重複説明を省略する。
【００４２】
この第５実施形態では、取付ブラケット１６と締結バンド１７とによりアキュムレータ１２を圧縮機本体１１に支持した状態では、取付ブラケット１６とアキュムレータ１２の間に挟着配置された左右１対の防振弾性体２０,２０と、締結バンド１７とアキュムレータ１２の間に挟着されている締結バンド側防振弾性体２６でアキュムレータ１２の制振を効果的に行うことができる。
【００４３】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００４４】
１０      ロータリ圧縮機
１１      圧縮機本体
１２      アキュムレータ
１３      固定手段
１４      吸込管
１６      取付ブラケット
１６ａ    中間固定片部
１６ｂ    アーム片部  
１１６ｂ  先端部
１７      締結バンド
１８      係合孔
１９      スリット
２０      防振弾性体
２０ａ    突起部
２２      連結バンド部
２３      連結バンド部
２４      締結バンド側防振弾性体
２４ａ    突起部
２５      係合孔
２６      締結バンド側防振弾性体
【図１】
2011185198.tif 000003
【図２】
2011185198.tif 000004
【図３】
2011185198.tif 000005
【図４】
2011185198.tif 000006
【図５】
2011185198.tif 000007
【図６】
2011185198.tif 000008
【図７】
2011185198.tif 000009
【図８】
2011185198.tif 000010